(57)【要約】【課題】路上駐車での夏場の直射日光による、車内温度の上昇を抑える、冬場の車のガラス面に付着する、氷、霜を阻止する。【解決手段】粘着性の有する長方形断熱シート裏面外周、中央部にシート固定粘着部材を設け、車前面ガラス、屋根、後部ガラスを覆い、上記記述した課題を克服し断熱シートを巻き取るだけで収納が簡単でき、風等によるシートの移動剥がれを防ぎ断熱シート表面を広告機能を有する事を特徴とする。【選択図】図１
2006176097.tif 000002
【特許請求の範囲】
【請求項１】
長方形断熱シート表面に広告機能表示部を設け、シート裏面外周、中央シート部に粘着固定部材を設け、車体に断熱シートを粘着固定する事を特徴とした特許請求項１の広告機能を有する粘着断熱シート。
【発明の詳細な説明】
【技術分野】
【０００１】  本発明は、冬期間の野外駐車において、フロントガラス、リヤガラスに生じる結露が氷る症状の緩和、ガラスに霜がおりガラスに氷付く事の防止、夏場においては、直射日光による車内の温度の上昇をくい止める事に関する。
【背景技術】
【０００２】  冬期間の野外駐車において、フロントガラス、リヤガラスに生じる結露が氷る、氷の除去又は、霜の除去には、プラスチック製丁型、ゴム丁型等のスクレイパーを活用しガラス面より氷を擦り剥ぎ取っていた。【０００３】  車の暖気運転をし、エンジンを温め、ヒーターを稼動させ氷を解かし等していた。【０００４】  ガラス面に氷付いた霜、氷の除去には、スプレータイプの霜、氷解凍除去剤が有る。【０００５】  又、夏場の直射日光による車内の上昇の緩和には、ドアガラス窓のガラスを下げ開放し車内の空気の換気をしている。【０００６】  車内の空気が直射日光により、高温になった空気を強制的に窓を開けクーラーをフル稼働させ、車内の高温の空気を換気していた。【０００７】  このように、野外駐車をした場合、年間を通じて、これ等の問題が生じていた。
【特許文献】特願２００１−４０２８４５
【特許文献】特願２０００−３５２６５９
【特許文献】特願平０８−１１９６８１
【発明の開示】
【発明が解決しようとする課題】
【０００８】  解決しようとする問題点は、野外駐車において、上記記述したような問題点の、霜、結露等のガラス窓に氷付き視界の妨げになる、ワイパーのゴム部の傷害等を起こす。【０００９】  夏場、直射日光による、車内の温度上昇の為、車始動時の高温による不快感が有る等の問題点が有る。
【課題を解決しようとする課題】
【００１０】  本発明は、車両フロントガラス全面、車屋根、後部リヤガラスを長方形の断熱シートで覆い、この断熱シートが風によるズリ移動、剥がれを防ぎ、断熱シート全体が車体、ガラス、屋根、に密着固定が出来、断熱シートに広告を印刷又は、印刷物の貼り付け、印刷済みのシールの貼り付け等をできることを最も主要な特徴とする。
【発明の効果】
【００１１】  本発明の、断熱シートを活用すると、夏場の直射日光による車内の温度上昇から車内の装備品を守り温度上昇を阻止し、冬期間の霜がガラス窓に付着するのを阻止でき、断熱シート表面フロントガラス部、リヤガラス部に広告が印刷でき又、印刷物等のシールの広告媒体を張る事が出来る部材を設けている為、人の目を引き付け、広範囲に宣伝効果が有る利点を有する。
【００１２】上記記述した、広告用品としての価値、商品広告の販促品としての応用分野の大きな可能性が有る広告用媒体としての粘着断熱シート
【発明を実施する為の最良の形態】
【００１３】  粘着機能を有する断熱シート裏面に、接着効果の有る粘着部材を用いているので断熱シートを車に覆いかぶせる、巻き取り収納すると言う作業がシート裏面に付いている粘着部が巻き取る際、シート表面に粘着するので、より簡単に巻き取りが出来るようになり、又最小の部品点数で、安価で出来、人目を引く広告媒体としての機能を得る事が実現した。
【実施例１】
【００１４】  図１は、本発明の粘着機能を有する断熱シート１の全体図である。【００１５】  粘着機能を有する断熱シートを固定する固定部材２は、ガラス、車体ボデー、ボンネット部に適度に粘着し、容易に剥ぎ取る事が出来る粘性度を有する部材を用いる。【００１６】  断熱シート中央裏面にシートが車の屋根から風等によりずり移動を抑える粘性度の有る、ゴム系塗料を適度に塗布した物を用いても良い。【００１７】  粘着機能を有する断熱シート固定部材２は、アクリル樹脂等の粘着作用を有する部材を用いても良い。【００１８】  粘着機能を有する断熱シートを固定する固定部材２の先端を、車体ボンネット部に粘着固定しても良い。【００１９】  断熱シートを固定する固定部材２は、粘性度を有する部材をアルカリ樹脂等として用いても良い。【００２０】  断熱シートを固定する固定部材２は、粘性度を有する部材で、部材が乾いても、多少の粘性度が有する、シリコン樹脂等としても良い。【００２１】  断熱シート材質は、薄く年間を通して使用強度に耐え、紫外線等で劣化しない、断熱性を有する材質であればどの様な物でも良い。【００２２】  断熱シート裏面にシートが車の屋根からずり移動を抑える粘性度の有る簡単に剥離可能な粘着力の有る、アクリル樹脂、シリコン樹脂等を断熱シート裏面に塗布して用いても良い。【００２３】  断熱シート表面素材は、熱を反射する材質を有する物で有れば、どの様な材質でも良い。【００２４】  断熱シート表面素材は、アルミ箔を蒸着塗布したフイルム３等を用いても良い。【００２５】  粘着機能を有する長方形断熱シート後部端に設けて有る、固定部部材は、後部ガラス、車体後部トランク部に粘着させ固定する。【００２６】  断熱シート材質は、広告を印刷し、薄く年間を通して使用強度に耐え、紫外線等で印刷物が劣化しない、断熱性を有する材質であればどの様な物でも良い。【００２７】  断熱シート裏面に設けている、粘着性を有する部材を、格子状模様に粘着部材を裏面全体に塗布しても良い。【００２８】  断熱シート裏面に設けている、粘着性を有する部材を、水玉模様に粘着部材を裏面全体に塗布しても良い。【００２９】  広告用印刷物を、断熱シート表面に印刷でき、断熱を阻害しない程度にシート一面に広告物を印刷しても良い。【００３０】  断熱シート表面に広告された印刷シールを張りつけ可能な部材（４）を設け、広告媒体としても良い。
【産業上の利用可能性】
【００３１】  冬場にフロントガラスに氷付いた氷を解かす為に、ヒーターを作動し氷りを解かしているが、氷が解けるまでの時間が必要とし、溶けるまでのエンジンのアイドリングを必要とし、燃料の消費が嵩む。【００３２】  夏場に、直射日光により車内の温度の上昇を避ける為に、駐車時にエンジンを作動させ、エアコンを稼動させていた。【００３３】  車のガラス部に広告用印刷物を印刷できる為、新たな広告用媒体としての大きな需要が増す。【００３４】  上記記述したように、燃料消費の節約に繋がる等の効果が有る。【００３５】  断熱シート内にシートを固定する必要とする箇所に粘着性を有する部材を塗布する等をし、断熱を必要とする製品に覆い被せる等に活用出来る。【００３６】  霜等が降りるのを嫌う製品の保護に覆い被せ粘着し固定利用できる。【００３７】  断熱シート裏面に粘着部材が設けている為に、シートを巻き込み収納する際、粘着部が、シート表面に粘着する為に巻き取り収納が容易に出来る特徴が有る。
【図面の簡単な説明】
【図１】本発明の粘着性の有する断熱シート全体図
【図２】本発明の実施斜視図
【図３】断熱シート固定部材取り付け配置図
【符号の説明】
１  粘着性の有する断熱シート  ２粘着性の有する断熱シートを固定する固定部材  ３アルミ箔を蒸着塗布したフイルム  ４印刷物張り付ける部材
【図１】
2006176097.tif 000003
【図２】
2006176097.tif 000004
【図３】
2006176097.tif 000005